(57)【特許請求の範囲】
【請求項１】
ドアに設置され、中空部を有する軸と、上記軸の中空部に配設されたケーブルとを有するドアノブと、
上記ドアノブの一方の取っ手部に設置された、ミリ波を感受する第１のアンテナと、
上記ドアノブの他方の取っ手部に設置された、ミリ波を放射する第２のアンテナと、
上記第１のアンテナにより感受されたミリ波を受信して電気信号に変換する受信機と、
上記受信機により受信され変換された電気信号を上記ドアノブのケーブルを介して供給され上記ミリ波に変換して上記第２のアンテナを介して送信する送信機と、
を備えることを特徴とする建物。
【請求項２】
ドアまたは壁の一方の面側に設置された、ミリ波を感受する第１のアンテナと、
上記ドアまたは壁の他方の面側に設置された、ミリ波を放射する第２のアンテナと、
上記第１のアンテナにより感受されたミリ波を受信して電気信号に変換する受信機と、
上記受信機により受信され変換された電気信号を上記ミリ波に変換して上記第２のアンテナを介して送信する送信機と、を備え、
前記受信機および前記送信機は、前記ドアが閉じているときだけ動作することを特徴とする建物。
【請求項３】
階段または廊下に沿って設置された手すりの一端部に設けられ、ミリ波を感受する第１のアンテナと、
上記手すりの他端部に設けられ、ミリ波を放射する第２のアンテナと、
上記第１のアンテナにより感受されたミリ波を受信して電気信号に変換する受信機と、
上記受信機により受信され変換された電気信号を上記第２のアンテナを介して送信する送信機と、
を備えることを特徴とする建物。
【請求項４】
中空部を有する軸と、上記軸の中空部に配設されたケーブルとを有するドアノブと、
上記ドアノブの一方の取っ手部に設置された、ミリ波を感受する第１のアンテナと、
上記ドアノブの他方の取っ手部に設置された、ミリ波を放射する第２のアンテナと、
上記第１のアンテナにより感受されたミリ波を受信して電気信号に変換する受信機と、
上記受信機により受信され変換された電気信号を上記ドアノブのケーブルを介して供給され上記ミリ波に変換して上記第２のアンテナを介して送信する送信機と、
を備えることを特徴とするドア。
【請求項５】
ドアノブの一方の取っ手部、ドアの一方の表面にドアノブを固定する固定部、および上記ドアの一方の表面のいずれかに設置された、ミリ波を感受する第１のアンテナと、
上記ドアノブの他方の取っ手部、上記ドアの他方の表面にドアノブを固定する固定部、および上記ドアの他方の表面のいずれかに設置された、ミリ波を放射する第２のアンテナと、
上記第１のアンテナにより感受されたミリ波を受信して電気信号に変換する受信機と、
上記受信機により受信され変換された電気信号を上記ミリ波に変換して上記第２のアンテナを介して送信する送信機と、を備え、
前記受信機および前記送信機は、閉じているときだけ動作することを特徴とするドア。
【請求項６】
一方の取っ手部に設置された、ミリ波を感受する第１のアンテナと、
他方の取っ手部に設置された、ミリ波を放射する第２のアンテナと、
上記第１のアンテナにより感受されたミリ波を受信して電気信号に変換する受信機と、
上記受信機により受信され変換された電気信号を上記ミリ波に変換して上記第２のアンテナを介して送信する送信機と、
中空部を有する軸と、
上記軸の中空部に配設され上記受信機と上記送信機とを接続するケーブルと、
を備えることを特徴とするドアノブ。
【請求項７】
一方の取っ手部に設置された、ミリ波を感受する第１のアンテナと、
他方の取っ手部に設置された、ミリ波を放射する第２のアンテナと、
上記第１のアンテナにより感受されたミリ波を受信して電気信号に変換する受信機と、
上記受信機により受信され変換された電気信号を上記ミリ波に変換して上記第２のアンテナを介して送信する送信機と、を備え、
前記受信機および前記送信機は、前記ドアが閉じているときだけ動作することを特徴とするドアノブ。
【請求項８】
一端部に設けられ、ミリ波を感受する第１のアンテナと、
他端部に設けられ、ミリ波を放射する第２のアンテナと、
上記第１のアンテナにより感受されたミリ波を受信して電気信号に変換する受信機と、
上記受信機により受信され変換された電気信号を上記ミリ波に変換して上記第２のアンテナを介して送信する送信機と、
を備えることを特徴とする手すり。
【請求項９】
建物内で送信局から受信局へミリ波を伝送する伝送方法において、
上記送信局から上記受信局への伝送パス上に存在するドアの一方の面側におけるドアノブの一方の取っ手部に設置された第１のアンテナでミリ波を感受するステップと、
感受した上記ミリ波を受信して電気信号に変換するステップと、
上記ドアノブの軸の中空部に配設されたケーブルを介して、ドアの一方の面側から他方の面側へ上記電気信号を供給するステップと、
上記ドアの他方の面側におけるドアノブの他方の取っ手部に設置された第２のアンテナを介してこの電気信号を上記ミリ波として送信するステップと、
を備えることを特徴とする伝送方法。
【請求項１０】
建物内で送信局から受信局へミリ波を伝送する伝送方法において、
上記送信局から上記受信局への伝送パス上に存在する階段または廊下に沿って設置された手すりの一端部でミリ波を第１のアンテナで感受するステップと、
感受した上記ミリ波を受信して電気信号に変換するステップと、
この電気信号を上記手すりの他端部で第２のアンテナを介して上記ミリ波として送信するステップと、
を備えることを特徴とする伝送方法。
【発明の詳細な説明】
【０００１】
【発明の属する技術分野】
本発明は、建物内で送信局から受信局へミリ波を伝送するための建物、ドア、ドアノブ、手すりおよび伝送方法に関するものである。
【０００２】
【従来の技術】
パーソナルコンピュータや多機能電話機の発達により、通信機能を有する複数の電気機器を家庭内に設置する需要が増大している。また、家庭内オートメーションシステムとして、例えば外出先より電話回線などを介して指示を与えることにより、自宅のエアーコンディショナなどを作動させたり、録画装置などを制御してテレビジョン放送の番組を録画させたりするような実施案が提案されている。
【０００３】
このような家庭内オートメーションシステムでは、電話回線などを介してユーザが各家庭用電気機器に指示を与えることが想定されるので、その場合には、各家庭用電気機器に対して電話回線などをそれぞれ接続する必要がある。
【０００４】
そこで、ユーザが家庭用電気機器それぞれに指示を直接与えるのではなく、家庭用電気機器間を通信可能とし、ユーザからの指示を所定の端末装置などで受け、その端末装置から他の家庭用電気機器へ転送することが考えられる。
【０００５】
この際、電気機器同士を有線で接続すると、屋内にケーブルが敷設されることになり美観的に好ましくないので、既存の家庭内電灯線を利用した通信や無線通信を使用することが考えられる。
【０００６】
既存の家庭内電灯線を利用した通信としては、例えば、親機と子機との間の通信に家庭内電灯線を利用した電話機などがある。
【０００７】
また、家庭内電気機器間での無線データ通信については、例えばブルートゥース（Ｂｌｕｅｔｏｏｔｈ）などの規格が提案されている。ブルートゥースでは、２．４５ＧＨｚの無線周波数を使用して、パーソナルコンピュータやパーソナルデータアシスタント（ＰＤＡ）などの電気機器間を無線で約１Ｍｂｐｓ（ｂｉｔ  ｐｅｒ  ｓｅｃｏｎｄ）の通信が行われる。
【０００８】
この他、無線ＬＡＮ（Ｌｏｃａｌ  Ａｒｅａ  Ｎｅｔｗｏｒｋ）として、２．４ＧＨｚ帯域で１１Ｍｂｐｓの通信速度のＩＥＥＥ８０２．１１などの規格がある。
【０００９】
このような無線通信を利用する場合、壁などの障害物の配置、数などに起因して、屋外の場合と比べ、無線の到達距離が屋内では短くなる。
【００１０】
【発明が解決しようとする課題】
上述のような帯域の無線通信であれば、若干の障害物であれば、電波が透過していき、通信が可能になるものの、将来、無線通信の伝送速度をさらに高めようとして、ミリ波帯域での無線通信を実現しようとする場合、ミリ波の直進性、反射特性などに起因して、ミリ波が障害物を透過せず、通常レベルの電波強度では、ドア越しや壁越しでの無線通信が困難になる可能性がある。
【００１１】
また、階を跨いでミリ波での無線通信を実現しようとすると、天井などが障害物になり、通常レベルの電波強度では、階を跨いだミリ波での無線通信が困難になる可能性がある。
【００１２】
本発明は、屋内でミリ波による通信を可能とする建物、ドア、ドアノブ、手すりおよび伝送方法を得ることを目的とする。
【００１３】
【課題を解決するための手段】
上記の課題を解決するために、本発明の建物は、ドアに設置され、中空部を有する軸と、その軸の中空部に配設されたケーブルとを有するドアノブと、ドアノブの一方の取っ手部に設置された、ミリ波を感受する第１のアンテナと、ドアノブの他方の取っ手部に設置された、ミリ波を放射する第２のアンテナと、第１のアンテナにより感受されたミリ波を受信して電気信号に変換する受信機と、受信機により受信され変換された電気信号をドアノブのケーブルを介して供給されミリ波に変換して第２のアンテナを介して送信する送信機とを備えている。
【００１４】
これにより、障害物としてのドアが伝送パス上に存在しても、屋内でミリ波による通信が可能となる。
【００１７】
また、本発明の建物は、ドアまたは壁の一方の面側に設置された、ミリ波を感受する第１のアンテナと、ドアまたは壁の他方の面側に設置された、ミリ波を放射する第２のアンテナと、第１のアンテナにより感受されたミリ波を受信して電気信号に変換する受信機と、受信機により受信され変換された電気信号をミリ波に変換して第２のアンテナを介して送信する送信機と、を備え、ドアが閉じているときだけ、受信機および送信機が動作するようにしたものである。
【００１８】
これにより、第１の受信機および第１の送信機により消費される電力を抑制することができる。なお、ドアが開いているときには、ミリ波はそのまま出入り口を通過するので、第１の受信機および第１の送信機の動作を停止させても、ミリ波の伝送には問題ない。
【００１９】
本発明の建物は、階段または廊下に沿って設置された手すりの一端部に設けられ、ミリ波を感受する第１のアンテナと、手すりの他端部に設けられ、ミリ波を放射する第２のアンテナと、第１のアンテナにより感受されたミリ波を受信して電気信号に変換する受信機と、受信機により受信され変換された電気信号をミリ波に変換して第２のアンテナを介して送信する送信機とを備えている。
【００２０】
これにより、階段などの障害物が伝送パス上に存在したり、ミリ波が狭い廊下を伝送しづらい場合にも、屋内でミリ波による通信が可能となる。また、手すりは、階段の昇り降りに必要となるものであり、設置に違和感を生じない。しかも、手すりは、情報通信を行わない場合にも利用されるものであり、ミリ波通信を行う場合にも、設備費の上昇はほとんど生じない。
【００２１】
本発明のドアは、中空部を有する軸と、その軸の中空部に配設されたケーブルとを有するドアノブと、ドアノブの一方の取っ手部に設置された、ミリ波を感受する第１のアンテナと、ドアノブの他方の取っ手部に設置された、ミリ波を放射する第２のアンテナと、第１のアンテナにより感受されたミリ波を受信して電気信号に変換する受信機と、受信機により受信され変換された電気信号をドアノブのケーブルを介して供給されミリ波に変換して第２のアンテナを介して送信する送信機とを備えている。
【００２２】
これにより、障害物としてのドアが伝送パス上に存在しても、屋内でミリ波による通信が可能となる。また、ドアは建具として個別に交換可能であるため、本発明のドアは既に建築済みの建物でも利用することができ、ドアの交換のみによってミリ波通信が一般の家屋でも可能となる。
【００２３】
また、本発明のドアは、ドアノブの一方の取っ手部、ドアの一方の表面にドアノブを固定する固定部、およびドアの一方の表面のいずれかに設置された、ミリ波を感受する第１のアンテナと、ドアノブの他方の取っ手部、ドアの他方の表面にドアノブを固定する固定部、およびドアの他方の表面のいずれかに設置された、ミリ波を放射する第２のアンテナと、第１のアンテナにより感受されたミリ波を受信して電気信号に変換する受信機と、受信機により受信され変換された電気信号をミリ波に変換して第２のアンテナを介して送信する送信機と、を備え、閉じているときだけ受信機および送信機が動作するようにしたものである。
【００２４】
これにより、受信機および送信機により消費される電力を抑制することができる。なお、ドアが開いているときには、ミリ波はそのまま出入り口を通過するので、受信機および送信機の動作を停止させても、ミリ波の伝送には問題ない。
【００２５】
本発明のドアノブは、一方の取っ手部に設置された、ミリ波を感受する第１のアンテナと、他方の取っ手部に設置された、ミリ波を放射する第２のアンテナと、第１のアンテナにより感受されたミリ波を受信して電気信号に変換する受信機と、受信機により受信され変換された電気信号をミリ波に変換して第２のアンテナを介して送信する送信機と、中空部を有する軸と、その軸の中空部に配設され受信機と送信機とを接続するケーブルとを備えている。
【００２６】
これにより、障害物としてのドアが伝送パス上に存在しても、屋内でミリ波による通信が可能となる。また、ドアノブは建具として個別に交換可能であるため、本発明のドアノブは既に建築済みの建物でも利用することができる。このため、ドアノブの交換という、わずかな費用でミリ波通信が一般の家屋でも可能となる。
【００２７】
また、本発明のドアノブは、一方の取っ手部に設置された、ミリ波を感受する第１のアンテナと、他方の取っ手部に設置された、ミリ波を放射する第２のアンテナと、第１のアンテナにより感受されたミリ波を受信して電気信号に変換する受信機と、受信機により受信され変換された電気信号をミリ波に変換して第２のアンテナを介して送信する送信機と、を備え、ドアが閉じているときだけ受信機および送信機が動作するようにしたものである。
【００２８】
これにより、受信機および送信機により消費される電力を抑制することができる。なお、ドアが開いているときには、ミリ波はそのまま出入り口を通過するので、受信機および送信機の動作を停止させても、ミリ波の伝送には問題ない。
【００２９】
本発明の手すりは、一端部に設けられ、ミリ波を感受する第１のアンテナと、他端部に設けられ、ミリ波を放射する第２のアンテナと、第１のアンテナにより感受されたミリ波を受信して電気信号に変換する受信機と、受信機により受信され変換された電気信号をミリ波に変換して第２のアンテナを介して送信する送信機とを備えている。
【００３０】
これにより、各階へのミリ波の伝送が各階の天井によって遮られ、良好に実施することが困難な場合や、ミリ波が狭い廊下を伝送しづらい場合にも、この手すりを設置することにより屋内でミリ波による通信が可能となる。また、手すりは、情報通信を行わない場合にも利用されるものであり、ミリ波通信を行う場合にも、設備費の上昇はほとんど生じない。
【００３１】
本発明の伝送方法は、送信局から受信局への伝送パス上に存在するドアの一方の面側におけるドアノブの一方の取っ手部に設置された第１のアンテナでミリ波を感受するステップと、感受したミリ波を受信して電気信号に変換するステップと、ドアノブの軸の中空部に配設されたケーブルを介して、ドアの一方の面側から他方の面側へ電気信号を供給するステップと、ドアの他方の面側におけるドアノブの他方の取っ手部に設置された第２のアンテナを介してこの電気信号をミリ波として送信するステップとを備えている。
【００３２】
これにより、障害物としてのドアが伝送パス上に存在しても、屋内でミリ波による通信が可能となる。
【００３３】
本発明の伝送方法は、送信局から受信局への伝送パス上に存在する階段または廊下に沿って設置された手すりの一端部でミリ波を第１のアンテナで感受するステップと、感受したミリ波を受信して電気信号に変換するステップと、この電気信号を手すりの他端部で第２のアンテナを介してミリ波として送信するステップとを備えている。
【００３４】
これにより、各階へのミリ波の伝送が各階の天井によって遮られ、良好に実施することが困難な場合や、ミリ波が狭い廊下を伝送しづらい場合にも、この手すりを設置することにより屋内でミリ波による通信が可能となる。また、手すりは、情報通信を行わない場合にも利用されるものであり、ミリ波通信を行う場合にも、設備費の上昇はほとんど生じない。
【００３５】
【発明の実施の形態】
以下、図に基づいて本発明の実施の形態を説明する。
【００３６】
図１は、本発明の実施の形態に係る建物の１階部分の断面図であり、図２は、本発明の実施の形態に係る建物の２階部分の断面図である。図１または図２において、建物１は、屋内でミリ波による通信が可能な家、オフィスなどの建物である。窓１１は建物１の１階または２階に設けられているものである。階段１２は建物１の１階と２階との間の階段である。ドア１３は、玄関のドアである。
【００３７】
また、ドア１４は、建物１内に回動自在に設置された、本発明の実施の形態に係るドア、あるいは、本発明の実施の形態に係るドアノブを有するドアである。ドア１５は、建物１内に回動自在に設置された通常のドアである。手すり１６は、階段に沿って設置された、本発明の実施の形態に係る手すりである。
【００３８】
さらに、端末装置２１は、外部との間で通信可能なモデムなどの通信手段を内蔵したコンピュータを有し、他の端末装置２２との間で、ドア１４、手すり１６、送受信機３１を介して間接的に通信を行うものである。
【００３９】
さらに、端末装置２２は、録画装置やエアコンディショナなどの家庭用電気機器を有し、端末装置２１との間で、ドア１４、手すり１６、送受信機３１を介して間接的に通信を行うものである。すなわち、端末装置２１，２２は、送信局または受信局として機能するものである。
【００４０】
さらに、送受信機３１は、壁の一方の面で受信したミリ波の信号を、他方の面で送信するものである。
【００４１】
図３は、本発明の実施の形態に係るドア１４の外観を示す斜視図である。図４は、図３に示すドア１４のドアノブの断面図である。図３において、ドア本体５１は、例えば木材、金属などで製作されたものである。取っ手部５２は、対向する反対側の取っ手部６１（図４参照）と軸５７（図４参照）などで連結され、一方が回動すると、他方も連動して回動するように構成されたものである。
【００４２】
固定部５３は、ドアノブをドア本体に固定するための部材である。係合部５４は、ドアが閉められたときに接する部分に設けられた図示せぬ凹部に、凸部５５を係合させる機構を有するものである。給電端子５６は、ドアが閉められたときに接する建具における対向部分に設けられた図示せぬ接触端子から給電されるものである。
【００４３】
図４において、取っ手部５２は、周囲に絶縁部７２を配したミリ波のアンテナ７１を表面に有し、内部にそのアンテナ７１に接続された送受信モジュール７３およびケーブル７４を有するものである。取っ手部６１は、取っ手部５２と同様に、周囲に絶縁部８２を配したミリ波のアンテナ８１を表面に有し、内部にそのアンテナ８１に接続された送受信モジュール８３およびケーブル８４を有するものである。なお、アンテナ７１，８１は、ミリ波を感受する第１のアンテナおよびミリ波を放射する第２のアンテナとして機能する。
【００４４】
また、軸５７は、その中空部にケーブル７４を配され、かつ、その先端に雄ネジが形成され、取っ手部６１に螺合され固定されるものである。なお、ケーブル７４およびケーブル８４は、軸５７および取っ手部６１の螺合前に、予めコネクタ７５で連結される。
【００４５】
さらに、穴５８は、係合部５４をドア本体５１に埋設するために設けられた穴である。
【００４６】
さらに、アンテナ７１は、取っ手部５２に設置され、ドア１４の一方の面側で、ミリ波を感受するとともに、ミリ波を放射するものである。絶縁部７２は、ドアノブ本体とアンテナ７１とを電気的に絶縁するものである。
【００４７】
さらに、送受信モジュール７３は、後述のように、アンテナ７１で感受したミリ波を受信して電気信号に変換し、その電気信号を増幅した後、ケーブル７４，８４を介して送受信モジュール８３に供給するとともに、ケーブル７４，８４を介して送受信モジュール８３から供給された電気信号をアンテナ７１を介してミリ波として送信するものである。
【００４８】
さらに、ケーブル７４，８４は、送受信モジュール７３と送受信モジュール８３との間の電気信号の授受に使用されるものである。コネクタ７５は、ケーブル７４とケーブル８４とを接続するためのものである。
【００４９】
さらに、アンテナ８１は、取っ手部６１に設置され、ドア１４の他方の面側で、ミリ波を感受するとともに、ミリ波を放射するものである。絶縁部８２は、ドアノブ本体とアンテナ８１とを電気的に絶縁するものである。
【００５０】
さらに、送受信モジュール８３は、後述のように、アンテナ８１で感受したミリ波を受信して電気信号に変換し、その電気信号を増幅した後、ケーブル７４，８４を介して送受信モジュール７３に供給するとともに、ケーブル７４，８４を介して送受信モジュール７３から供給された電気信号をアンテナ８１を介してミリ波として送信するものである。
【００５１】
図５は、本発明の実施の形態に係る手すり１６の外観を示す斜視図である。図６は、図５に示す手すり１６の断面図である。図５または図６において、キャップ９１は、ミリ波のアンテナ１０１および送受信モジュール１０２を内側に有し、手すり１６の一端に螺合されるプラスティック製のキャップである。
【００５２】
さらに、キャップ９２は、ミリ波のアンテナ１１１および送受信モジュール１１２を内側に有し、手すり１６の他端に螺合されるプラスティック製のキャップである。なお、アンテナ１０１，１１１は、ミリ波を感受する第１のアンテナおよびミリ波を放射する第２のアンテナとして機能する。
【００５３】
なお、アンテナ１０１，１１１を内側に設置する場合には、キャップ９１，９２の材質には、プラスティックの他、ミリ波の透過しやすいものを選択すればよい。
【００５４】
また、管９３は、手すり１６の本体部分となる管である。足９４は、手すり１６を階段に沿った壁などに固定するためのものである。
【００５５】
さらに、アンテナ１０１は、キャップ９１に設けられ、手すり１６の一端部で、ミリ波を感受するとともに、ミリ波を放射するものである。送受信モジュール１０２は、後述のように、アンテナ１０１で感受したミリ波を受信して電気信号に変換し、その電気信号を増幅した後、ケーブル１０４を介して送受信モジュール１１２に供給するとともに、ケーブル１０４を介して送受信モジュール１１２から供給された電気信号をアンテナ１０１を介してミリ波として送信するものである。
【００５６】
さらに、コネクタ１０３は、送受信モジュール１０２に着脱可能なように形成され、ケーブル１０４を送受信モジュール１０２に接続するものである。ケーブル１０４は、管９３の内側に配され、送受信モジュール１０２と送受信モジュール１１２とを電気的に接続するものである。
【００５７】
さらに、アンテナ１１１は、キャップ９２に設けられ、手すり１６の他端部で、ミリ波を感受するとともに、ミリ波を放射するものである。送受信モジュール１１２は、後述のように、アンテナ１１１で感受したミリ波を受信して電気信号に変換し、その電気信号を増幅した後、ケーブル１０４を介して送受信モジュール１０２に供給するとともに、ケーブル１０４を介して送受信モジュール１０２から供給された電気信号をアンテナ１１１を介してミリ波として送信するものである。
【００５８】
さらに、コネクタ１１３は、送受信モジュール１１２に着脱可能なように形成され、ケーブル１０４を送受信モジュール１１２に接続するものである。
【００５９】
図７は、図３に示すドア１４および図５に示す手すり１６の電気的構成を示すブロック図である。図７において、送受信機１２１は、上述の送受信モジュール７３，１０２において、アンテナ７１，１０１で感受したミリ波を受信して電気信号に変換するとともに、対向する送受信モジュール８３，１１２から供給された電気信号をアンテナ７１，１０１を介してミリ波として送信するものである。すなわち、送受信機１２１は、ミリ波を受信する受信機（第１の受信機）およびミリ波を送信する送信機（第１の送信機）として機能する。
【００６０】
また、増幅器１２２は、上述の送受信モジュール７３，１０２において、送受信機１２１が受信し変換した電気信号を増幅し、増幅後の電気信号を、対向する送受信モジュール８３，１１２に向けて出力するものである。
【００６１】
一方、送受信機１３１は、上述の送受信モジュール８３，１１２において、アンテナ８１，１１１で感受したミリ波を受信して電気信号に変換するとともに、対向する送受信モジュール７３，１０２から供給された電気信号をアンテナ８１，１１１を介してミリ波として送信するものである。すなわち、送受信機１３１は、ミリ波を受信する受信機（第１の受信機）およびミリ波を送信する送信機（第１の送信機）として機能する。
【００６２】
また、増幅器１３２は、上述の送受信モジュール８３，１１２において、送受信機１３１が受信し変換した電気信号を増幅し、増幅後の電気信号を、対向する送受信モジュール７３，１０２に向けて出力するものである。
【００６３】
なお、伝送手段１４１は、ケーブル７４，８４およびコネクタ７５、あるいは、ケーブル１０４およびコネクタ１０３，１１３で構成されるものである。
【００６４】
なお、図１に示す送受信機３１は、壁の一方の面に、図４や図６に示すアンテナ７１，１０１および送受信モジュール７３，１０２と同様なアンテナと送受信モジュールを設け、その壁の他方の面に、図４や図６に示すアンテナ８１，１１１および送受信モジュール８３，１１２と同様なアンテナと送受信モジュールを設け、壁に孔を貫通させ、ケーブル７４，１０４と同様なケーブルを配するようにしたものであり、電気的構成については、上述のドアノブや手すり１６と同様である。
【００６５】
また、他の障害物に起因してミリ波の伝送が困難である場合や、ミリ波を伝送可能なドアノブを設けたり、階段に手すり１６を設置することが困難である場合などにおいて、伝送経路の一部に家庭内電灯線を利用しミリ波により伝送される信号を転送するようにしてもよい。
【００６６】
この場合、ドアなどに設けられる２つのアンテナ（第１のアンテナ、第２のアンテナ）や第１の受信機に加え、ミリ波を感受するアンテナ（第３のアンテナ）と、そのアンテナにより感受されたミリ波を受信して電気信号に変換し、家庭内電灯線を介してこの電気信号を送信する受信機（第２の受信機）とを有する転送部（第１の転送部）を、所定の階における家庭内電源に設置する。また、ドアなどに設けられる第１のアンテナと第２のアンテナや第１の送信機に加え、ミリ波を放射するアンテナ（第４のアンテナ）と、家庭内電灯線を介して送信されてくる電気信号を受信し、そのアンテナを介してミリ波として送信する送信機（第２の送信機）とを有する転送部（第２の転送部）を、上記所定の階とは他の階における家庭内電源に設置する。
【００６７】
そして、まず、所定の階のドアや壁に設置された第１の送信機からのミリ波を、転送元の電源コンセント付近に設けられた第１の転送部で受信し、所定の高周波信号に変換して、既存の家庭内電灯線に印加する。次に、転送先の電源コンセント付近に設けられた第２の転送部で、家庭内電灯線に印加された高周波信号を、電源周波数の信号と分別して抽出し、その高周波信号に基づいて、元のミリ波を送信する。
【００６８】
また、既存の家庭内電灯線に並行して情報通信用線路が敷設されている場合には、例えば本出願人が先に提案した意匠登録第１０８１５８３号または意匠登録第１０８２９１０号に記載の電源プラグを利用して、その情報通信用線路を介して上述の高周波信号を転送するようにしてもよい。すなわち、電源端子の間に情報通信用の３極雌端子または３極雄端子を有し、家電製品などの端末装置２１，２２の差込プラグを差し込んだときに、自動的に情報通信用の端子が接続されるような構成の電源プラグを利用しても良い。
【００６９】
さらに、上述のドア１４および手すり１６においては、図示せぬ電源部により内部回路に給電される。その際、その電源部として、電池、充電池、太陽電池などのいずれか１つまたは複数を設けるようにしてもよいし、家庭内電源から所定の直流電圧の電力を生成する定電圧電源を設け、その電源から給電するようにしてもよい。この際、ドア本体や手すり本体に定電圧電源を内蔵させるようにしてもよいし、定電圧電源を電源コンセントに設置し、そこからケーブルを介して給電するようにしてもよい。
【００７０】
また、ドア１４が閉められたときに接する部分に接触端子（図示省略）を設け、ドア１４が閉められた際にのみ、その接触端子および給電端子５６を介して、ドアノブ内の電子回路に電力が供給されるようにしてもよい。また、接触端子および給電端子５６の接触のような機械的な接触を利用せず、電磁誘導などによる結合を利用して非接触に給電されるようにしてもよい。これにより、ドア１４が閉められたときのみ、ミリ波の中継が実行される。なお、給電端子５６の近傍に蓄電池を設けることで、ドア１４が開放されているときもミリ波の中継が可能となるようにしても良い。
【００７１】
図８は、図１における端末装置２１の構成を示すブロック図である。図８において、コンピュータ１５１は、モデムなどの通信手段１６１を内蔵したパーソナルコンピュータなどである。送受信機１５２は、アンテナ１５３を介してミリ波によって間接的に他の端末装置２２との間で通信を実行するものである。
【００７２】
図９は、図１または図２における端末装置２２の構成を示すブロック図である。図９において、家庭用電気機器１７１は、録画装置やエアコンディショナなどの電気機器である。送受信機１７２は、アンテナ１７３を介してミリ波によって間接的に端末装置２１または同じ構成を有する他の端末装置２２との間で通信を実行するものである。
【００７３】
次に上記各部の動作について説明する。
【００７４】
一例として、１階に配置された端末装置２１が２階に配置された端末装置２２に各種情報を伝送する場合について説明する。
【００７５】
この場合、端末装置２１のコンピュータ１５１が送受信機１５２に、伝送する情報を供給する。送受信機１５２は、アンテナ１５３を介してミリ波としてその情報を送信する。
【００７６】
そして、このミリ波は、端末装置２１の設置された部屋のドア１４のドアノブに設けられた一方のアンテナ７１により感受され、送受信モジュール７３の送受信機１２１により受信され、電気信号に変換される。変換された電気信号は、増幅器１２２により増幅された後、ケーブル７４などの伝送手段１４１を介して、対向する送受信モジュール８３の送受信機１３１に供給される。
【００７７】
そして、送受信モジュール８３は、他方のアンテナ８１を介して、その電気信号に対応するミリ波を放射させる。
【００７８】
これにより、ドア１４が閉じていても、ミリ波が中継され、玄関や階段１２の最下段付近に到達する。
【００７９】
次に、階段１２の最下段付近に到達したミリ波は、手すり１６の一方の端部に設置されたアンテナ１０１により感受され、送受信モジュール１０２の送受信機１２１により受信され、電気信号に変換される。変換された電気信号は、増幅器１２２により増幅された後、ケーブル１０４などの伝送手段１４１を介して、対向する送受信モジュール１１２の送受信機１３１に供給される。
【００８０】
そして、送受信モジュール１１２は、手すり１６の他方の端部において、アンテナ１１１を介して、その電気信号に対応するミリ波を放射させる。
【００８１】
これにより、図２に示す階段１２中央の踊り場までミリ波が中継され、さらに、もう１本の手すり１６により同様に中継され、２階に到達する。
【００８２】
そして、２階に到達したミリ波は、２階の各部屋のドア１４に設けられたアンテナ７１に感受され、同様にして、部屋側に設けられたアンテナ８１から放射される。
【００８３】
これにより、ドア１４が閉じていても、２階の部屋までミリ波が到達する。そして２階に設けられた端末装置２２では、アンテナ１７３がそのミリ波を感受し、送受信機１７２がそのミリ波を受信して電気信号に変換して、その電気信号を家庭用電気機器１７１に供給する。
【００８４】
このようにして、１階に配置された端末装置２１から、２階に配置された端末装置２２に各種情報が伝送される。この場合、伝送パス上に、１階のドア１４、階段１２および２階のドア１４が障害物として存在するが、ドア１４では、ドアノブによりミリ波が中継され、階段１２では、手すり１６によりミリ波が中継されるので、１階に配置された端末装置２１から、２階に配置された端末装置２２へミリ波が到達する。
【００８５】
なお、同様にして、２階に配置された端末装置２２から、１階に配置された端末装置２１に各種情報を伝送することも可能である。また、同様にして、端末装置２２間で、各種情報を伝送することも可能である。さらに、建物１が１つの階のみである場合、手すり１６はなくてもよいが、例えば廊下を介して別の部屋までミリ波が到達しづらい場合に、手すり１６を設置して、ミリ波を中継するようにしてもよい。
【００８６】
また、同様にして壁を貫通して設置される送受信機３１がミリ波を中継することにより、１階の端末装置２１からのミリ波が１階の端末装置２２へ到達する。なお、図１に示すように送受信機３１を設置する代わりに、ドア１５を、ミリ波の伝送が可能であるドア１４に変換するようにしても１階の端末装置２２へ、２枚のドア１４を介してミリ波が到達する。
【００８７】
以上のように、本発明の実施の形態に係るドア、ドアノブ、手すりおよび伝送方法を利用することで、屋内でのミリ波による通信が可能になる。
【００８８】
また、これにより、例えば、ユーザは、外部から端末装置２１のコンピュータ１５１に対して電話回線などを介して指令を与えるだけで、録画装置やエアコンディショナなどの複数の家庭用電気機器１７１を制御することができる。
【００８９】
さらに、ドア、ドアノブ、手すりなどの建具は、既に建築済みの建物にも交換あるいは新設することが可能であるため、このような屋内でのミリ波による無線通信を安価で実現することができる。
【００９０】
また、上述のように端末装置２１，２２間で無線通信が可能であるので、各端末装置２１，２２に、ＭＡＣ（Ｍｅｄｉａ  Ａｃｃｅｓｓ  Ｃｏｎｔｒｏｌ）アドレスを割り当てて、ミリ波を利用した高速な無線ＬＡＮを構築することができる。
【００９１】
例えば将来、光ファイバなどにより、外部の通信速度が向上した場合でも、このミリ波による無線ＬＡＮにより、屋内の各所で、外部との高速なデータ通信を享受することができる。
【００９２】
このとき、送信元の端末装置２１，２２は、通信相手となる端末装置２１，２２のＭＡＣアドレスを検索し、そのＭＡＣアドレス宛で情報を送信する。そして、各端末装置２１，２２は、送信されてきた情報が自己のＭＡＣアドレス宛のものである場合に、その情報を受信する。
【００９３】
このようにして、無線ＬＡＮ上ではＭＡＣアドレスで各端末装置２２、すなわち家庭用電気機器１７１が識別されるため、例えば端末装置２１のコンピュータ１５１は、個々の家庭用電気機器１７１との間で、個別的に通信を確立することができる。
【００９４】
なお、ドアおよびドアノブの形状は上述のものに限定されるものではなく、他の形状でもよい。ドアの機械的機構については、特に図示しないが、通常のドアと同様である。また、上述の手すり１６は、直線状のものであるが、湾曲したものでもよく、例えば階段が折れ曲がるような場合には、途中で湾曲させた１本の手すりとしても良いが、図２に示すように複数本の手すり１６を利用して、ミリ波を中継するようにしてもよい。
【００９５】
また、上記実施の形態では、ドアノブの取っ手部５２，６１にアンテナ７１，８１などを設置しているが、固定部５３，６２にアンテナ７１，８１などを設置するようにしてもよく、ドア本体５１の一方の表面にアンテナ７１を設け、他方の表面にアンテナ８１を設けるようにしてもよい。
【００９６】
さらに、上記実施の形態では、ドアノブおよび手すりにおいて、送受信モジュールが２箇所に設けられているが、１つの送受信モジュールとし、２つのアンテナの一方で感受されたミリ波を受信し、適宜増幅し、他方のアンテナからそのミリ波を放射させるようにしてもよい。
【００９７】
さらに、上記実施の形態では、ドアノブのアンテナ７１，８１は、取っ手部５２，６１の表面に設置しているが、取っ手部５２，６１全体をアンテナ７１，８１として使用するようにしてもよい。また、取っ手部５２，６１の材質がプラスティックなどのミリ波を透しやすいものである場合には、取っ手部５２，６１の中空部分に、アンテナ７１，８１を設置するようにしてもよい。
【００９８】
さらに、上記実施の形態では、手すり１６のキャップ９１，９２をプラスティック製のものとし、アンテナ１０１，１１１をキャップ９１，９２の内側に設置するようにしているが、キャップ９１，９２を金属製のものとし、上述のドアノブのように、その一部または全部に電気的に絶縁されたアンテナ１０１，１１１を設けるようにしてもよい。
【００９９】
なお、建物１内の間取りは、図１および図２に示すものに限定されるものではない。ほとんどの場合、部屋にはドアが設置されるため、いずれの間取り（例えば３階以上の建物）でも、本発明を適用すれば、屋内でのミリ波の伝送が可能になる。
【０１００】
【発明の効果】
本発明では、屋内でミリ波による通信を可能とする建物、ドア、ドアノブ、手すりおよび伝送方法を得ることができる。
【図面の簡単な説明】
【図１】本発明の実施の形態に係る建物の１階部分の断面図である。
【図２】本発明の実施の形態に係る建物の２階部分の断面図である。
【図３】本発明の実施の形態に係るドアの外観を示す斜視図である。
【図４】図３に示すドアのドアノブの断面図である。
【図５】本発明の実施の形態に係る手すりの外観を示す斜視図である。
【図６】図５に示す手すりの断面図である。
【図７】図３に示すドアおよび図５に示す手すりの電気的構成を示すブロック図である。
【図８】図１における端末装置の構成を示すブロック図である。
【図９】図１または図２における端末装置の構成を示すブロック図である。
【符号の説明】
１  建物
１２  階段
１４  ドア
１６  手すり
２１，２２  端末装置（送信局、受信局）
５２，６１  取っ手部
５３，６２  固定部
７１，８１，１０１，１１１  アンテナ（第１のアンテナ、第２のアンテナ）
１２１，１３１  送受信機（第１の受信機、第１の送信機、受信機、送信機）
【図１】
0003559764.tif 000002
【図２】
0003559764.tif 000003
【図３】
0003559764.tif 000004
【図４】
0003559764.tif 000005
【図５】
0003559764.tif 000006
【図６】
0003559764.tif 000007
【図７】
0003559764.tif 000008
【図８】
0003559764.tif 000009
【図９】
0003559764.tif 000010